(57)【要約】【課題】本発明は、リモートコントローラーを有する遠隔制御装置において、通信異常を回避しつつ、機器停止時の待機電力の削減を目的とする。【解決手段】本体制御部２には、ＣＰＵ動作クロックを制御するクロック制御部３と、ＣＰＵ動作クロックが停止中に信号入力を受け付ける入力部４を備えたマイクロコンピューター５が設けられている。本体１が停止したときには、クロック制御部３がＣＰＵ動作クロックを停止させ、リモートコントローラー７から運転信号を受信すると、入力部４は、クロック制御部３にＣＰＵ動作クロック起動を指示するので、通信ケーブル１１で接続されたリモートコントローラー７との通信が停止しても通信異常を回避でき、本体停止中の消費電力を削減する。【選択図】図１
2015121389.tif 000002
【特許請求の範囲】
【請求項１】
本体制御部を備えた本体と、リモートコントローラーを有する遠隔制御装置であって、
前記本体制御部と前記リモートコントローラーを通信ケーブルで接続し、
前記本体制御部は、マイクロコンピューターを有し、前記マイクロコンピューターには、
ＣＰＵ動作クロックを制御するクロック制御部と、
前記ＣＰＵ動作クロックが停止中に信号入力を受け付ける入力部を備え、
前記マイクロコンピューターがクロック停止中には、前記リモートコントローラーから前記入力部に起動信号を送信し、
前記クロック制御部は、前記入力部が起動信号を受信するとクロックを起動することを特徴とする遠隔制御装置。
【発明の詳細な説明】
【技術分野】
【０００１】
本発明は、リモートコントローラーを有する遠隔制御装置の制御方法に関するものである。
【背景技術】
【０００２】
例えば、従来のリモートコントローラーを有する遠隔制御装置の制御方法は、次のような構成となっていた。
【０００３】
すなわち、省電力モード時に赤外線通信を用いたリモートコントローラーから機器本体に対して制御信号や強制自動スイッチの信号により省電力モードから復帰する構成となっていた（例えば特許文献１参照）。
【先行技術文献】
【特許文献】
【０００４】
【特許文献１】特開２００７−２２１３９７号公報
【発明の概要】
【発明が解決しようとする課題】
【０００５】
上記従来例で課題となるのは、赤外線等を用いた無線通信の場合は、リモートコントローラーから機器への単方向の通信であるため、リモートコントローラーと機器は常時通信する必要はない。しかし、通信ケーブルを有し、双方向で通信を行う機器の場合、省電力モードにより通信が停止すると、機器の異常により通信が停止したか、省電力モードにより通信が停止したか判断できないということである。
【０００６】
そこで本発明は、通信ケーブルを有し、双方向で通信を行う機器においても機器の異常と判断することなく、省電力モードを実現することを目的とするものである。
【課題を解決するための手段】
【０００７】
そして、この目的を達成するために本発明は、本体制御部を備えた本体と、リモートコントローラーを有する遠隔制御装置であって、前記本体制御部と前記リモートコントローラーを通信ケーブルで接続し、前記本体制御部は、マイクロコンピューターを有し、前記マイクロコンピューターには、  ＣＰＵ動作クロックを制御するクロック制御部と、  前記ＣＰＵ動作クロックが停止中に信号入力を受け付ける入力部を備え、前記マイクロコンピューターがクロック停止中には、前記リモートコントローラーから前記入力部に起動信号を送信し、前記クロック制御部は、前記入力部が起動信号を受信するとクロックを起動するものであり、これにより所期の目的を発生するものである。
【発明の効果】
【０００８】
以上のように、本発明は、本体制御部を備えた本体と、リモートコントローラーを有する遠隔制御装置であって、前記本体制御部と前記リモートコントローラーを通信ケーブルで接続し、前記本体制御部は、マイクロコンピューターを有し、前記マイクロコンピューターには、  ＣＰＵ動作クロックを制御するクロック制御部と、  前記ＣＰＵ動作クロックが停止中に信号入力を受け付ける入力部を備え、前記マイクロコンピューターがクロック停止中には、前記リモートコントローラーから前記入力部に起動信号を送信し、前記クロック制御部は、前記入力部が起動信号を受信するとクロックを起動することにより、本体が停止中に本体制御部のマイクロコンピューターのＣＰＵ動作クロックを停止させても通信ケーブルで接続されたリモートコントローラーとの通信異常を回避し、本体停止中の消費電力を低減できるリモートコントローラーを有する機器の制御方法を提供することができる。
【図面の簡単な説明】
【０００９】
【図１】本発明の実施の形態１におけるリモートコントローラーを有する機器の制御方法の構成を示す構成図
【図２】同運転の制御を示すフローチャート
【発明を実施するための形態】
【００１０】
本発明の請求項１記載の発明は、
本体制御部を備えた本体と、リモートコントローラーを有する遠隔制御装置であって、
前記本体制御部と前記リモートコントローラーを通信ケーブルで接続し、前記本体制御部は、マイクロコンピューターを有し、前記マイクロコンピューターには、ＣＰＵ動作クロックを制御するクロック制御部と、前記ＣＰＵ動作クロックが停止中に信号入力を受け付ける入力部を備え、前記マイクロコンピューターがクロック停止中には、前記リモートコントローラーから前記入力部に起動信号を送信し、前記クロック制御部は、前記入力部が起動信号を受信するとクロックを起動するものである。
【００１１】
これにより、ＣＰＵ動作クロックを制御するクロック制御部により、機器停止時に消費電力を低減でき、ＣＰＵ動作クロックが停止中に信号入力を受け付ける入力部を備えたことにより、ＣＰＵクロックが停止中でも通信ケーブルで接続されたリモートコントローラーから送信される駆動信号を受信でき、ＣＰＵ動作クロック停止前にリモートコントローラーへ信号を送信することにより、ＣＰＵ動作クロック停止により通信が停止しても通信異常が回避できるため、本体が停止中に本体制御部のマイクロコンピューターのＣＰＵ動作クロックを停止させても通信ケーブルで接続されたリモートコントローラーとの通信異常を回避し、本体停止中の消費電力を低減できるという効果を有する。
【００１２】
以下、本発明の実施の形態について、図面を参照しながら説明する。
【００１３】
（実施の形態１）
図１は、本発明の実施の形態におけるリモートコントローラーを有する機器の制御ブロック図である。
【００１４】
本体１は、図示しないが、換気扇や浴室用の暖房乾燥機である。そして、本体１には、この本体１の運転制御を行う本体制御部２が備えられている。
【００１５】
この本体制御部２は、マイクロコンピューター５と本体側信号送受信部６を有している。マイクロコンピューター５は、ＣＰＵ動作クロックを制御するクロック制御部３と、ＣＰＵ動作クロックが停止中に信号入力を受け付ける入力部４（例えば割り込み入力端子）を備えている。そして、本体側信号送受信部６は、マイクロコンピューター５の入力部４と、リモートコントローラー７のリモートコントローラー側信号送受信部１０接続されて、リモートコントローラー７が発信した信号を受信し、入力部４に伝達する。また、本体制御部２が発信する信号をリモートコントローラー７へ伝達する。
【００１６】
リモートコントローラー７は、操作部８と、リモートコントローラー制御用マイクロコンピューター９と、リモートコントローラー側信号送受信部１０とを備えている。操作部８は、本体１の運転操作を入力するものである。リモートコントローラー制御用マイクロコンピューター９は、操作部８の操作信号の入力を判断し、リモートコントローラー側信号送受信部１０にその操作信号を伝達する。リモートコントローラー側信号送受信部１０は、本体制御部２と信号を送受信する。
【００１７】
本体側信号送受信部６と、リモートコントローラー側信号送受信部１０は通信ケーブル１１で接続される。
【００１８】
以上の構成において、次に動作を説明する。
【００１９】
本体１の運転中においては、リモートコントローラー７と本体制御部２は、常時通信することでリモートコントローラー７は本体制御部２から送信される運転状態を認識する。また、本体制御部２はリモートコントローラー７から送信される操作部８で操作された状態変化を認識している。すなわち、リモートコントローラー７から送信され、入力部４に入力される同期信号に同期して、マイクロコンピューター５は、本体１の運転状態を本体側信号送受信部６からリモートコントローラー側信号送受信部１０に通信ケーブル１１を介して送信している。リモートコントローラー７に送る運転状態データとしては、本体１の運転・停止情報、（ある種の機器において有する）運転モード、本体１で計測する温度データなどであって、リモートコントローラー７に設けられた表示部（図示せず）に表示されることになる。
【００２０】
リモートコントローラー７では、リモートコントローラー制御用マイクロコンピューター９が本体１の運転状態の信号を受信した後、返答信号として、例えば受信した信号を本体側信号送受信部６に向かって送信する。すなわち、本体１の運転中には、リモートコントローラー７と本体制御部２とは絶えず信号の送受信を行っているのである。
【００２１】
次に、図２のフローチャートに示すように、本体１が停止したら、マイクロコンピューター５内に備えられた停止時間カウントタイマーにより本体１の停止時間（Ｔ）のカウントを行う（図２のＳ１）。本体１の停止時間（Ｔ）が所定のＸ時間を経過すると（図２のＳ２）、マイクロコンピューター５は、リモートコントローラー７に対して省電力モード信号を送信する（図２のＳ３）。そして、マイクロコンピューター５は、リモートコントローラー７との通信を停止し、クロック制御部３はマイクロコンピューター５のＣＰＵクロックを停止して、マイクロコンピューター５は動作を停止する（図２のＳ４）。
【００２２】
一方、本体制御部２から「省電力モード信号」を受信したリモートコントローラー７は、同期信号を本体制御部２に送信することを停止する。すなわち、本体１の運転中には常時行っていた本体制御部２とリモートコントローラー７との間の通信処理が停止することになる。
【００２３】
そして、操作部８からの運転信号が入力されるまでマイクロコンピューター５は、動作停止を継続する。すなわち、本体１の停止中には、リモートコントローラー７と本体制御部２との間の通信も停止している。
【００２４】
本体１の停止中に操作部８が操作されリモートコントローラー制御用マイクロコンピューター９に運転信号が入力されると、リモートコントローラー側信号送受信部１０から本体側信号送受信部６に通信ケーブル１１を経由して送信される。運転信号を受信した本体側信号送受信部６は、入力部４に運転信号を送信する（図２のＳ５）。
【００２５】
入力部４に運転信号が入力されると、入力部４は、クロック制御部３に対してＣＰＵクロックの起動を指示する（図２のＳ６）。クロック制御部３によりマイクロコンピューター５のＣＰＵクロックが動作を開始すると、本体制御部２の動作が開始し、本体１は操作部８から停止信号が入力されるまで運転を行うこととなる（図２のＳ７）。
【００２６】
また、操作部８が操作されリモートコントローラー制御用マイクロコンピューター９に停止信号が入力されると（図２のＳ８）、リモートコントローラー側信号送受信部１０から本体側信号送受信部６に通信ケーブル１１を経由して送信され、入力部４に停止信号が入力され、本体１は停止することとなる。
【００２７】
このように、入力部４に停止信号が入力されると、クロック制御部３に対し、クロック停止を指示するので、その後、マイクロコンピューター５は機能せず、本体制御部２とリモートコントローラー７との間の通信処理も停止する。
【００２８】
すなわち、機器停止時には、消費電力を低減でき、ＣＰＵ動作クロック停止により通信が停止しても通信異常を回避できる構成となる。
【産業上の利用可能性】
【００２９】
以上のように、本発明のリモートコントローラーを有する機器の制御方法は、本体制御部を備えた本体と、リモートコントローラーを有する遠隔制御装置であって、前記本体制御部と前記リモートコントローラーを通信ケーブルで接続し、前記本体制御部は、マイクロコンピューターを有し、前記マイクロコンピューターには、ＣＰＵ動作クロックを制御するクロック制御部と、前記ＣＰＵ動作クロックが停止中に信号入力を受け付ける入力部を備え、前記マイクロコンピューターがクロック停止中には、前記リモートコントローラーから前記入力部に起動信号を送信し、前記クロック制御部は、前記入力部が起動信号を受信するとクロックを起動することにより、本体が停止中に本体制御部のマイクロコンピューターのＣＰＵ動作クロックを停止させても通信ケーブルで接続されたリモートコントローラーとの通信異常を回避し、本体停止中の消費電力を低減できるリモートコントローラーを有する機器の制御方法を提供することができる。
【００３０】
したがって、例えば、浴室暖房乾燥機、空気調和機等機器停止中の消費電力の低減が必要な機器への活用が期待される。
【符号の説明】
【００３１】
１    本体
２    本体制御部
３    クロック制御部
４    入力部
５    マイクロコンピューター
６    本体側信号送受信部
７    リモートコントローラー
８    操作部
９    リモートコントローラー制御用マイクロコンピューター
１０  リモートコントローラー側信号送受信部
１１  通信ケーブル
【図１】
2015121389.tif 000003
【図２】
2015121389.tif 000004